(57)【要約】【課題】麻酔記録をより好適に確認することができる麻酔記録管理装置を提供することにある。【解決手段】麻酔の投与の記録を取得する麻酔情報取得部と、少なくとも脈拍と血圧を含む生体情報を取得する生体情報取得部と、取得した麻酔の投与の履歴と、生体情報の履歴を管理し、履歴の情報を含む画像を作成する制御部と、制御部で作成した画像を表示する表示部と、操作が入力される操作部と、を有し、制御部は、操作部で、表示部に表示する履歴の情報の時間軸の縮尺を変更する指示を検出した場合、履歴の情報の記録開始時点から設定した所定期間の情報を設定された時間の縮尺を維持したまま、所定期間以外の期間の縮尺を変更した履歴の情報を含む画像を作成する。【選択図】図１
2016024793.tif 000002
【特許請求の範囲】
【請求項１】
麻酔の投与の記録を取得する麻酔情報取得部と、
少なくとも脈拍と血圧を含む生体情報を取得する生体情報取得部と、
取得した麻酔の投与の履歴と、生体情報の履歴を管理し、履歴の情報を含む画像を作成する制御部と、
前記制御部で作成した画像を表示する表示部と、
操作が入力される操作部と、を有し、
前記制御部は、前記操作部で、前記表示部に表示する履歴の情報の時間軸の縮尺を変更する指示を検出した場合、前記履歴の情報の記録開始時点から設定した所定期間の情報を設定された時間の縮尺を維持したまま、前記所定期間以外の期間の縮尺を変更した履歴の情報を含む画像を作成することを特徴とする麻酔記録管理装置。
【請求項２】
前記制御部は、前記表示部に表示する所定距離当たりの時間を長くする指示を検出した場合、前記履歴の情報の記録開始時点から設定した所定期間の情報を設定された時間の縮尺を維持したまま、前記所定期間以外の期間の所定距離当たりの時間を長くした履歴の情報を含む画像を作成することを特徴とする請求項１に記載の麻酔記録管理装置。
【請求項３】
前記制御部は、時間を指定し、かつ、麻酔の履歴の詳細情報である麻酔詳細情報を表示する操作を検出した場合、指定された時間までの麻酔の履歴の詳細情報を表示させることを特徴とする請求項１または２に記載の麻酔記録管理装置。
【請求項４】
前記制御部は、前記操作部で、前記表示部に表示する履歴の情報の時間軸の縮尺を変更する指示を検出した場合、麻酔の投与時点を基点とし、前記基点から設定した時間帯の情報を設定された時間の縮尺も維持することを特徴とする請求項１から３のいずれか１項に記載の麻酔記録管理装置。
【請求項５】
前記制御部は、前記操作部で、前記表示部に表示する履歴の情報の時間軸の縮尺を変更する指示を検出した場合、生体情報の変動が設定した閾値を超える時間帯を検出し、検出した時間帯の情報を設定された時間の縮尺も維持することを特徴とする請求項１から４のいずれか１項に記載の麻酔記録管理装置。
【請求項６】
所定期間は、１５分以下の時間であることを特徴とする請求項１から５のいずれか１項に記載の麻酔記録管理装置。
【請求項７】
前記麻酔情報取得部は、患者に麻酔を注入する麻酔注入装置の動作情報を取得し、動作情報に基づいて、麻酔の投与量、投与時点を取得することを特徴とする請求項１から６のいずれか１項に記載の麻酔記録管理装置。
【発明の詳細な説明】
【技術分野】
【０００１】
本発明は、麻酔を行った生体の生体情報を記録する麻酔記録管理装置に関する。
【背景技術】
【０００２】
開腹手術、開頭手術、内視鏡手術（ファイバースコープ内視鏡を用いた手術や、腹腔鏡手術）等の各種手術や、検査では、麻酔を投与して行う手術、検査がある。手術や検査を行う際に麻酔を投与した場合、投与した麻酔の履歴を生体情報とともに記録した麻酔記録を作成している。このような麻酔記録は、一定時間ごとの生体情報と麻酔の履歴を記録するため、手作業で記録すると作業者に大きい負担がかかる。
【０００３】
このような麻酔記録を補助する装置としては、特許文献１に記載されている装置がある。特許文献１には、表示器の線画文字入力画面上において、ペン入力操作体により予め定められた手入力領域に描かれた線画文字情報を入力する線画文字情報入力手段と、線画文字情報入力手段により入力された線画文字情報を予め定められた表示領域において手入力領域に描かれた大きさよりも縮小して表示させる線画文字情報表示手段と、表示領域に表示された線画文字情報を記憶させるための操作に基づいて、該表示領域に表示された線画文字情報を麻酔記録情報として記憶する麻酔記録情報記憶手段と、を、含み、麻酔中に発生する情報を麻酔記録情報として電子的に記録し、表示器の麻酔記録画面に該麻酔記録情報を表示する電子麻酔記録装置が記載されている。
【０００４】
また、特許文献２には、生体から生体情報を検出する生体情報検出装置と、検出した生体情報を表示する表示装置と、を備え、麻酔期間中に検出された生体情報を記録する生体情報記録装置と、麻酔期間中に検出された生体情報を表示する表示装置と、を備える麻酔用生体情報記録表示装置が記載されている。
【先行技術文献】
【特許文献】
【０００５】
【特許文献１】特開２００６−２６３１１８号公報
【特許文献２】特開平１１−５６７８５号公報
【発明の概要】
【発明が解決しようとする課題】
【０００６】
特許文献１に記載されている麻酔記録を補助する装置を用いることで、効率よく記録を行うことができるが、操作者の作業は必要となる。これに対して、特許文献２に記載の麻酔用生体情報記録表示装置は、生体情報検出装置で検出した情報を麻酔記録として用いることができるため、操作者の作業負担を低減することができる。
【０００７】
ここで、例えば、手術の場合、麻酔記録は、麻酔開始時から手術が終了するまで記録する。そのため麻酔記録の長さは、手術の時間によって変動する。ここで、麻酔記録を表示させたり、紙で出力したりする場合、時間の縮尺を換えることも可能であるが、縮尺を変更してしまうと、患者の状態の変化を確認しにくくなる場合がある。
【０００８】
本発明は、上記に鑑みてなされたものであって、麻酔記録をより好適に確認することができる麻酔記録管理装置を提供することにある。
【課題を解決するための手段】
【０００９】
上述した課題を解決し、目的を達成するために、本発明は、麻酔の投与の記録を取得する麻酔情報取得部と、少なくとも脈拍と血圧を含む生体情報を取得する生体情報取得部と、取得した麻酔の投与の履歴と、生体情報の履歴を管理し、履歴の情報を含む画像を作成する制御部と、前記制御部で作成した画像を表示する表示部と、操作が入力される操作部と、を有し、前記制御部は、前記操作部で、前記表示部に表示する履歴の情報の時間軸の縮尺を変更する指示を検出した場合、前記履歴の情報の記録開始時点から設定した所定期間の情報を設定された時間の縮尺を維持したまま、前記所定期間以外の期間の縮尺を変更した履歴の情報を含む画像を作成することを特徴とする。
【００１０】
また、前記制御部は、前記表示部に表示する所定距離当たりの時間を長くする指示を検出した場合、前記履歴の情報の記録開始時点から設定した所定期間の情報を設定された時間の縮尺を維持したまま、前記所定期間以外の期間の所定距離当たりの時間を長くした履歴の情報を含む画像を作成することが好ましい。
【００１１】
また、前記制御部は、時間を指定し、かつ、麻酔の履歴の詳細情報である麻酔詳細情報を表示する操作を検出した場合、指定された時間までの麻酔の履歴の詳細情報を表示させることが好ましい。
【００１２】
また、前記制御部は、前記操作部で、前記表示部に表示する履歴の情報の時間軸の縮尺を変更する指示を検出した場合、麻酔の投与時点を基点とし、前記基点から設定した時間帯の情報を設定された時間の縮尺も維持することが好ましい。
【００１３】
また、前記制御部は、前記操作部で、前記表示部に表示する履歴の情報の時間軸の縮尺を変更する指示を検出した場合、生体情報の変動が設定した閾値を超える時間帯を検出し、検出した時間帯の情報を設定された時間の縮尺も維持することが好ましい。
【００１４】
また、所定期間は、１５分以下の時間であることが好ましい。
【００１５】
また、前記麻酔情報取得部は、患者に麻酔を注入する麻酔注入装置の動作情報を取得し、動作情報に基づいて、麻酔の投与量、投与時点を取得することが好ましい。
【発明の効果】
【００１６】
本発明にかかる麻酔記録管理装置は、麻酔の投与開始から設定した期間の情報を設定された時間の縮尺に寄らず、設定した領域以上の時間間隔で表示させることで、重要な情報を閲覧可能な状態にすることができる。これにより、麻酔記録をより好適に確認することができる。
【図面の簡単な説明】
【００１７】
【図１】図１は、本実施形態の麻酔記録管理装置を備える医療システムの一例の概略構成を示すブロック図である。
【図２】図２は、麻酔記録管理装置が表示する画像の一例を示す説明図である。
【図３】図３は、麻酔記録管理装置が表示させる入力ウインドウの一例を示す説明図である。
【図４】図４は、麻酔記録管理装置による処理の一例を示すフロー図である。
【図５】図５は、麻酔記録管理装置による処理の一例を示すフロー図である。
【図６】図６は、麻酔記録管理装置による処理の一例を示すフロー図である。
【図７】図７は、表示画像の調整処理を説明するための説明図である。
【図８】図８は、表示画像の移動処理を説明するための説明図である。
【図９】図９は、表示画像の移動処理を説明するための説明図である。
【図１０】図１０は、表示画像の時間の縮尺の調整処理を説明するための説明図である。
【図１１】図１１は、麻酔詳細情報を表示する処理を説明するための説明図である。
【図１２】図１２は、麻酔詳細情報を表示する処理を説明するための説明図である。
【図１３】図１３は、麻酔記録管理装置による処理の一例を示すフロー図である。
【図１４】図１４は、麻酔記録管理装置による処理の一例を示すフロー図である。
【発明を実施するための形態】
【００１８】
以下に、本発明にかかる麻酔記録管理装置の実施例を図面に基づいて詳細に説明する。なお、この実施例によりこの発明が限定されるものではない。例えば、以下の実施形態では、麻酔記録管理装置が、生体情報と麻酔情報を取得して記録する装置として説明するが、手術や検査に関する他の情報も加えて取得してもよい。また、以下の実施形態では、麻酔記録管理装置が取得した麻酔記録を画面に表示させる場合としたが、プリンタ等で紙面に出力する場合も同様の処理を行うことができる。
【００１９】
図１は、本実施形態の麻酔記録管理装置を備える医療システムの一例の概略構成を示すブロック図である。図１に示す医療システム１０は、麻酔を要する手術や、検査を患者に行う際に、対象の患者に実行する麻酔及び麻酔に関連する情報を収集し、記録し、保存するシステムである。
【００２０】
医療システム１０は、麻酔記録管理装置１２と、生体モニタ１４と、麻酔注入装置１６と、読取装置１８と、を有する。麻酔記録管理装置１２は、生体情報と麻酔記録を取得し、記録し、管理するものである。本実施形態の麻酔記録管理装置１２は、有線の通信回線で生体モニタ１４と、麻酔注入装置１６と、読取装置１８と、接続されている。麻酔記録管理装置１２について後述する。ここで、生体情報とは、患者の生命活動を示し、計測可能な各種情報であり、脈拍、心拍数、血圧、体温、脳波、血中酸素濃度、血中二酸化炭素濃度等を含む。また、麻酔情報とは、患者に投与、注入した麻酔薬に関する情報であり、麻酔薬の名前、投与量、投与タイミング等を含む。
【００２１】
生体モニタ１４は、患者の生体データを計測または検出し、ディスプレイに表示させる。ここで、生体モニタ１４が計測または検出する生体情報（生体データ）としては、脈拍、心拍数、血圧、体温、脳波、血中酸素濃度、血中二酸化炭素濃度等が例示される。生体モニタ１４は、取得した生体データを麻酔記録管理装置１２に送る。なお、生体モニタ１４と麻酔記録管理装置１２とも、電気的に絶縁されており、例えば光カプラを用いた光通信により情報の送受信を行っている。
【００２２】
麻酔注入装置１６は、麻酔（麻酔薬）を患者に注入する機器である。麻酔注入装置１６は、患者に挿入された注射針やカテーテルと接続され、麻酔薬が充填された注射器を押すシリンジポンプを有する。麻酔注入装置１６は、シリンジポンプで注射器を押す位置や、押す速度を制御することで、患者に注入する麻酔の量、投入するタイミングを制御する。麻酔注入装置１６は、実行した動作の情報を麻酔記録管理装置１２に送ることで、麻酔記録管理装置１２に患者に注入した麻酔の量、投入したタイミングの情報を送る。なお、麻酔注入装置１６と麻酔記録管理装置１２とも、電気的に絶縁されており、例えば光カプラを用いた光通信により情報の送受信を行っている。また、麻酔注入装置１６は、気体の麻酔薬（麻酔ガス）を供給する装置でもよい。この場合も麻酔注入装置１６は、実行した動作の情報を麻酔記録管理装置１２に送ることで、麻酔記録管理装置１２に患者に注入した麻酔の量、投入したタイミングの情報を送る。
【００２３】
読取装置１８は、麻酔薬が入ったケースに付されたケースに入った麻酔薬の情報が含まれる読み取り対象を読み取る。読取装置１８は、カメラや、バーコードリーダや、近距離無線通信機器である。読取装置１８は、麻酔薬が入ったケースに付された読み取り対象、例えば、文字が記載されたラベル、バーコード、ＲＦＩＤ等を読み取ることで、ケースに入った麻酔薬の情報を取得する。読取装置１８は、読み取った麻酔の情報を麻酔記録管理装置１２に送る。なお、読取装置１８で情報を読み取ったケースの麻酔は、その後患者に投与されるか、麻酔注入装置１６に設置される。
【００２４】
サーバ２０は、麻酔記録管理装置１２と無線通信等の通信回線で接続されている。サーバ２０は、麻酔記録管理装置１２から送られた情報を保存する。サーバ２０は、複数の麻酔記録管理装置１２と通信し、複数の麻酔記録管理装置１２から送られた情報を保存してもよい。また、サーバ２０は、その他の手術や患者に関連する情報を保存していてもよい。
【００２５】
次に、麻酔記録管理装置１２について説明する。麻酔記録管理装置１２は、制御部３０と、記憶部３２と、入力部３４と、表示部３６と、通信部３８と、生体情報取得部４０と、麻酔情報取得部４２と、を有する。
【００２６】
制御部３０は、ＣＰＵ等の演算装置であり、各種プログラムを実行することで、麻酔記録管理装置１２の各部の動作を制御し、麻酔情報及び生体情報を取得し、管理し、取得した情報から作成した画像の表示、出力を行う。
【００２７】
記憶部３２は、制御部３０から送られるデータを記憶する。記憶部３２としては、キャッシュメモリを用いることができる。記憶部３２として、キャッシュメモリを用いることで、データを短時間で読み出すことができる。なお、記憶部３２は、ハードディスク等の読み出しに時間がかかるが大容量のデータを記憶できる記憶手段を備えていてもよい。
【００２８】
入力部３４は、操作者が麻酔記録管理装置１２に指示を入力する入力端末である。入力部３４は、操作者により入力された指示を麻酔記録管理装置１２に送る。ここで、入力部３４としては、キーボードや、マウス、フットスイッチ、また、タッチパネル等も用いることができる。
【００２９】
表示部３６は、液晶ディスプレイ（Liquid  Crystal  Display）等の画像を表示させる装置であり、麻酔記録管理装置１２で作製された画像を表示させる。ここで、本実施形態の麻酔記録管理装置１２は、入力部３４及び表示部３６として、入力部３４と表示部３６とが一体化したタッチパネルを用いる。麻酔記録管理装置１２は、タッチパネルを用いることで、操作者は操作を簡単に行うことができる。なお、タッチパネルは、ディスプレイの表面に配置し、ディスプレイに表示させている画面と操作者による接触位置との関係に基づいて入力指示を検出する。
【００３０】
通信部３８は、サーバ２０とデータの送受信を行う。通信部３８は、外部のネットワークや、外部の記憶装置とデータの送受信を行ってもよい。通信部３８は、各部で生成されたデータや、記憶部３２に記憶されているデータをサーバ２０に送り、サーバ２０に保存させる。
【００３１】
生体情報取得部４０は、生体モニタ１４と接続されており、生体モニタ１４から送信される生体情報を取得する。麻酔情報取得部４２は、麻酔注入装置１６及び読取装置１８と接続されており、麻酔注入装置１６及び読取装置１８から送信される麻酔情報を取得する。生体情報取得部４０と麻酔情報取得部４２は、入力部３４を介して麻酔情報、生体情報を取得する場合もある。麻酔記録管理装置１２は、以上のような構成である。
【００３２】
次に、図２を用いて、麻酔記録管理装置１２により作製され、表示部３６に表示される画像の一例を説明する。図２は、麻酔記録管理装置が表示する画像の一例を示す説明図である。入力部３４と表示部３６の両方の機能を実現するタッチパネル５０は、麻酔記録管理装置１２が機能を実行することで図２に示す画像を画面に表示する。なお、図２に示す画像は、一例であり、レイアウト、表示内容はこれに限定されない。
【００３３】
図２に示すタッチパネル５０の画面に表示される画像は、患者情報欄５２と、モード表示欄５４と、麻酔記録欄５６と、現状表示欄５８と、接続表示欄６０と、操作ボタンユニット６２と、を含む。
【００３４】
患者情報欄５２は、管理対象の患者と手術または検査の基本的な情報が表示される。具体的には、患者情報欄５２は、患者の氏名や、手術、検査の内容、日時、身長体重、主治医、麻酔医等の情報が表示される。患者情報欄５２は、操作者によって入力されたり、通信部３８を介してサーバ２０から取得したりする。モード表示欄５４は、麻酔記録等を記録中であるか、記録を終了した麻酔記録の閲覧をしているのかを表示している。図２は、麻酔情報を記録している状態であることを占めす記録中が表示されている。
【００３５】
麻酔記録欄５６は、麻酔記録管理装置１２で取得した麻酔記録を表示している。麻酔記録欄５６は、横軸を時間軸とし、時間による生体情報と麻酔情報の変遷を表示している。麻酔記録欄５６は、生体情報履歴欄６４と、麻酔情報履歴欄６６と、を含む。生体情報履歴欄は、取得した各時間での生体情報を表示している。麻酔情報履歴欄６６は取得した各時間での麻酔情報を表示している。
【００３６】
現状表示欄５８は、現在（最新）の生体情報や時間情報（経過時間や、現在時刻）を表示している。接続表示欄６０は、麻酔記録管理装置１２に接続されている装置の有無を表示している。接続表示欄６０のバイタルは、生体モニタ１４に対応している。接続表示欄６０のシリンジは、麻酔注入装置１６に対応している。
【００３７】
操作ボタンユニット６２は、麻酔記録管理装置１２を操作するためのボタンが表示されている。例えば、投薬、術中メモ、記録情報、印刷、検索、終了の指示を入力するボタンが表示されている。操作者は、操作ボタンユニット６２をタッチすることで、ボタンに対応する操作を実行することができる。ここで、投薬のボタンは、麻酔情報を入力する操作を行う場合に操作するボタンである。麻酔記録管理装置１２は、投薬ボタンがタッチされた場合、麻酔情報の入力ウインドウを表示する。また、術中メモは、麻酔記録にコメントを残す処理に対応付けられたボタンである。麻酔記録管理装置１２は、術中メモのボタンがタッチされた場合、メモを入力するウインドウを表示する。記録情報は、患者の情報の入力処理に対応付けられたボタンである。麻酔記録管理装置１２は、記録情報のボタンがタッチされた場合、患者情報を入力する項目が表示されたウインドウを表示する。
【００３８】
ここで、図３を用いて、麻酔情報の入力ウインドウの一例を説明する。図３は、麻酔記録管理装置が表示させる入力ウインドウの一例を示す説明図である。入力ウインドウ７０は、麻酔薬の情報や、投与の情報を操作者の操作で入力する場合に用いるウインドウである。入力ウインドウ７０は、麻酔薬欄７２と、時刻入力欄７４と、麻酔薬入力欄７５と、数値入力欄７６と、登録ボタン７８と、キャンセルボタン７９と、を有する。
【００３９】
麻酔薬欄７２は、登録されている麻酔薬の一覧が表示されている。操作者は、麻酔薬欄７２から麻酔薬を選択することで、毎回麻酔薬の名称等を入力せずに使用する麻酔薬を選択することができる。時刻入力欄７４は、麻酔の投与時刻を入力する欄である。麻酔薬入力欄７５は、入力する麻酔薬の種類や量が表示される欄である。麻酔薬入力欄７５は、麻酔薬欄７２で麻酔薬が選択された場合、麻酔薬入力欄７５に選択された麻酔薬を表示する。数値入力欄７６は、麻酔薬の投与量を入力する欄である。数値入力欄７６に入力された数値は、麻酔薬入力欄７５に表示される。登録ボタン７８は、麻酔薬入力欄７５に表示された麻酔情報を、時刻入力欄７４の投与時間に対応付けて麻酔記録として登録する操作を実行する場合に操作される。キャンセルボタン７９は、入力ウインドウに入力された情報の登録を行わない場合に操作される。
【００４０】
麻酔記録管理装置１２は、このように、同期した各種画像及びデータから画像を作成し、表示部３６に表示させる。ここで、麻酔記録管理装置１２は、表示部３５に、記憶したデータを再生させた画像以外にも、現在各部で取得したデータを表示させるようにしてもよい。つまり、リアルタイムの画像（記録の対象となる画像）を表示させるようにしてもよい。また、表示部３６には、操作者が特徴点の検出タイミングを認識できるように横軸を時間軸として、特徴点の検出時を表示させたグラフも表示させることが好ましい。
【００４１】
次に、図４から図１２を用いて、麻酔記録管理装置１２の処理の一例を説明する。ここで、図４から図６は、それぞれ麻酔記録管理装置による処理の一例を示すフロー図である。図７は、表示画像の調整処理を説明するための説明図である。図８及び図９は、表示画像の移動処理を説明するための説明図である。図１０は、表示画像の時間の縮尺の調整処理を説明するための説明図である。図１１及び図１２は、それぞれ麻酔詳細情報を表示する処理を説明するための説明図である。
【００４２】
まず、図４を用いて、麻酔記録を取得し記録する処理の一例を説明する。準備として、操作者が、麻酔記録管理装置１２と、医療システム１０の他の各部、本実施形態では生体モニタ１４、麻酔注入装置１６及び読取装置１８とを接続し、画像データ及び各種データを取得可能な状態とする。また、操作者は、各部の接続を行ったら、麻酔記録管理装置１２を起動する。なお、準備の順序は特に限定されず、麻酔記録管理装置１２を起動した後、各部を接続するようにしてもよい。
【００４３】
準備が完了したら、麻酔記録管理装置１２は、図４に示す処理を実行する。まず、麻酔記録管理装置１２は、患者情報の入力を検出する（ステップＳ１２）。具体的には、麻酔記録管理装置１２は、操作ボタンユニット６２の記録情報で入力される情報を検出する。その後、麻酔記録管理装置１２は、麻酔記録の開始指示を検出し（ステップＳ１４）、麻酔記録に必要な生体情報と麻酔情報の取得を開始する。
【００４４】
麻酔記録管理装置１２は、生体情報検出タイミングかを判定する（ステップＳ１６）。生体情報検出タイミングとは、生体情報を検出する時点であるかである。麻酔記録管理装置１２は、設定した時間間隔で生体情報検出タイミングであると判定する。これにより、前回生体情報を検出してから設定した時間間隔が経過すると次の生体情報検出タイミングとなる。
【００４５】
麻酔記録管理装置１２は、生体情報検出タイミングである（ステップＳ１６でＹｅｓ）と判定した場合、生体情報を検出し、記憶部３２に保存する（ステップＳ１８）。麻酔記録管理装置１２は、生体情報取得部４２により生体モニタ１４から生体情報を取得する。
【００４６】
麻酔記録管理装置１２は、生体情報検出タイミングではない（ステップＳ１６でＮｏ）と判定した場合、または生体情報を検出し、記憶部３２に保存したら、入力部３４から麻酔情報の入力があるかを判定する（ステップＳ２０）。麻酔記録管理装置１２は、入力部３４から麻酔情報の入力がある（ステップＳ２０でＹｅｓ）と判定したら、入力部３４から入力された麻酔情報を記憶部３２に保存する（ステップＳ２２）。
【００４７】
麻酔記録管理装置１２は、入力部３４から麻酔情報の入力がない（ステップＳ２０でＮｏ）と判定した場合、または麻酔情報を記憶部３２に保存したら、麻酔注入装置１６から入力があるかを判定する（ステップＳ２４）。麻酔記録管理装置１２は、麻酔注入装置１６から入力がある（ステップＳ２４でＹｅｓ）と判定したら、麻酔情報取得部４２を用いて麻酔注入装置１６から入力された麻酔情報を記憶部３２に保存する（ステップＳ２６）。
【００４８】
麻酔記録管理装置１２は、麻酔注入装置１６から入力がない（ステップＳ２４でＮｏ）と判定した場合、または麻酔注入装置１６からの麻酔情報を記憶部３２に保存したら、麻酔記録の終了指示があるかを判定する（ステップＳ２８）。麻酔記録管理装置１２は、麻酔記録の終了指示がない（ステップＳ２８でＮｏ）と判定した場合、ステップＳ１６に戻り、ステップＳ１６からステップＳ２８の処理を再び実行する。麻酔記録管理装置１２は、麻酔記録の終了指示がある（ステップＳ２８でＹｅｓ）と判定した場合、本処理を終了する。
【００４９】
麻酔記録管理装置１２は、ステップＳ１６からステップＳ２８の処理を繰り返すことで、設定した時間間隔、例えば、３０秒間隔、１分間隔の生体情報を取得することができ、入力を検出した麻酔情報を取得することができる。麻酔記録管理装置１２は、生体情報と麻酔情報を取得し、蓄積することで麻酔記録として保存する。
【００５０】
次に、図５から図１２を用いて、記録した麻酔記録の表示処理について説明する。まず、図５を用いて、表示処理の一例を説明する。麻酔記録管理装置１２は、麻酔記録を表示する操作を検出した場合、図５に示す処理を実行する。麻酔記録管理装置１２は、麻酔記録の記録中も記録後も麻酔記録を表示することができる。また、図５の処理は、麻酔記録欄５６の表示処理を示している。
【００５１】
麻酔記録管理装置１２は、図５に示すように、表示する画像のフレーム及び表示の時間間隔の設定を読み出し（ステップＳ３２）、表示の時間間隔に基づいて、生体情報と麻酔情報を読み出す（ステップＳ３４）。麻酔記録管理装置１２は、読み出した生体情報と麻酔情報を表示する画像のフレーム（麻酔記録欄５６）のグラフまたは表に記入することで、画像を作成し、作成した画像を表示させる（ステップＳ３６）。これにより、例えば、図７に示すように、生体情報の時間変化を示す生体情報履歴欄６４ａの画像を作成し、表示させる。なお、図７は、生体情報履歴欄６４ａのみを示しているが麻酔情報履歴欄６６も同様に作成して表示している。以下、説明のため、画像の例は、生体情報履歴欄６４ａを示して説明する。
【００５２】
麻酔記録管理装置１２は、画像を表示したら、生体情報及び麻酔情報の少なくとも一方の更新があるかを判定する（ステップＳ３８）。つまり、生体情報及び麻酔情報が新たに検出されたかを判定する。麻酔記録管理装置１２は、生体情報及び麻酔情報の少なくとも一方が更新された（ステップＳ３８でＹｅｓ）と判定された場合、生体情報、麻酔情報を更新した画像を表示する（ステップＳ４０）。つまり、麻酔記録管理装置１２は、新たな生体情報及び麻酔情報を含む麻酔記録の画像を作成し表示させる。
【００５３】
麻酔記録管理装置１２は、生体情報及び麻酔情報のいずれも更新されていない（ステップＳ３８でＮｏ）と判定された場合またはステップＳ４０で画像を更新した場合、表示変更操作があるかを判定する（ステップＳ４２）。
【００５４】
麻酔記録管理装置１２は、表示変更操作がある（ステップＳ４２でＹｅｓ）と判定した場合、表示調整処理を行い（ステップＳ４６）、本処理を終了する。麻酔記録管理装置１２は、表示変更操作がない（ステップＳ４２でＮｏ）と判定した場合、本処理を終了する。麻酔記録管理装置１２は、ステップＳ３８からステップＳ４６の処理を繰り返すようにしてもよい。
【００５５】
次に、図６を用いて、表示調整処理について説明する。麻酔記録管理装置１２は、表示調整処理する場合、図６の処理を実行する。
【００５６】
麻酔記録管理装置１２は、表示変更操作が表示位置移動操作であるかを判定する（ステップＳ５２）。表示位置移動操作とは、時間軸の縮尺を維持しつつ、表示部３６に表示する時間軸の範囲を移動させる操作である。麻酔記録管理装置１２は、表示位置移動操作である（ステップＳ５２でＹｅｓ）と判定した場合、指示に基づいて表示位置を移動させる処理を実行する（ステップＳ５４）。
【００５７】
麻酔記録管理装置１２は、表示位置移動操作を検出していない（ステップＳ５２でＮｏ）と判定した場合、または表示位置を移動させる処理を実行した場合、時間縮尺を変更する操作を検出したかを判定する（ステップＳ５６）。麻酔記録管理装置１２は、時間縮尺を変更する操作を検出した（ステップＳ５６でＹｅｓ）と判定した場合、麻酔開始時点から所定期間（所定時間）の表示を固定し（ステップＳ５８）、所定期間以降の縮尺を指示に基づいて調整し（ステップＳ６０）、調整して作成した画像を表示させる（ステップＳ６２）。
【００５８】
麻酔記録管理装置１２は、ステップＳ５８からステップＳ６２の処理を行わない設定で、縮尺の変更処理、例えば拡大を行った場合、図７に示すように、生体情報履歴欄６４ａに示すように時間が０分（麻酔記録開示時点）から６０分までの麻酔記録を表示させている状態から、図８に示す生体情報履歴欄６４ｂのように時間が１８分から５０分までの麻酔記録を表示させている状態に拡大し、さらに、拡大操作があった場合、図９に示す生体情報履歴欄６４ｃのように時間が２９分から３９分までの麻酔記録を表示させている状態に拡大することになる。
【００５９】
これに対して、麻酔記録管理装置１２は、ステップＳ５８からステップＳ６２の処理を行わない設定で、縮尺の変更処理、例えば縮小を行った場合、図１０に示す生体情報履歴欄６４ｄのように、固定時間帯１０２の表示の時間間隔（表示部に表示する所定距離当たりの時間）を固定して、調整時間帯１０４の表示を指示に基づいて、図１０の場合は縮尺を縮小（表示部に表示する所定距離当たりの時間を長く）して表示させる。また、固定時間帯１０２と調整時間帯１０４との境界には、境界線１０６を表示する。境界線１０６を表示することで、時間軸の縮尺が切り替わっている時点をわかりやすくすることができる。
【００６０】
麻酔記録管理装置１２は、時間縮尺を変更する処理を検出していない（ステップＳ５６でＮｏ）と判定した場合、またはステップＳ６２で調整した画像を表示した場合、麻酔詳細情報表示操作を検出したかを判定する（ステップＳ６４）。麻酔詳細情報表示操作とは、時間を指定し、当該時間までの麻酔薬の投与量や、麻酔薬の詳細な情報を表示させる場合に実行する処理である。麻酔詳細情報表示操作は、画面に表示された時間軸をタップする操作や、画面の時間軸に表示されたマーク（麻酔詳細情報を表示可能な時点であることを示すマーク）を指定する操作である。
【００６１】
麻酔記録管理装置１２は、麻酔詳細情報表示操作を検出した（ステップＳ６４でＹｅｓ）と判定した場合、指示された時点での麻酔の詳細情報をポップアップで表示する（ステップＳ６６）。具体的には、図１１に示すように時間軸１２０の指示された時間からの吹き出しとして、麻酔詳細情報ウインドウ１２４を表示させる。また、麻酔記録管理装置１２は、指示された時間に対応した麻酔詳細記録を表示させるものであり、図１２に示すように、時間軸１２０ａの図１１とは異なる時点を指示されている場合、指示された時間からの吹き出しとして、麻酔詳細情報ウインドウ１２４ａを表示させる。本実施形態の麻酔詳細情報ウインドウ１２４、１２４ａは、指示されている時刻、生体情報、その時点での麻酔の投与量（投与速度）を表示している。
【００６２】
以上のように、麻酔記録管理装置１２は、時間軸の縮尺を変更する指示を検出した場合、麻酔記録の開始時から所定期間を固定時間帯１０２として、縮尺を固定することで、麻酔記録の開始時から所定期間を見やすい状態で維持することができる。つまり、図１０に示すように他の部分を縮小表示してより長い時間の麻酔記録を表示した場合でも、固定時間帯１０２の表示を維持することで、固定時間帯１０２の麻酔記録を詳細に表示することができる。これにより、患者の状態が変化しやすく、また麻酔管理上で重要な麻酔投与開始時点から一定時間、つまり麻酔導入時の状態を時間軸の状態によらず、見やすく維持することができる。これにより、麻酔記録をより確認しやすくすることができる。
【００６３】
ここで、所定期間は１５分以下とすることが好ましく、５分以上１５分以下とすることがより好ましい。上記範囲とすることで、麻酔導入時の状態をより的確に確認することが可能となる。
【００６４】
麻酔記録管理装置１２は、図１０に示すように、時間軸の縮尺を縮小する場合、つまり表示部３６に表示する所定距離当たりの時間を長くする指示を検出した場合に、固定時間帯を設けることが好ましい。これにより、長い時間の麻酔記録を表示させつつ、所定期間の麻酔記録を詳細に表示させることができる。
【００６５】
また、麻酔記録管理装置１２は、固定時間帯を設ける処理を実行するかを設定により調整できるようにすることが好ましい。また、麻酔記録管理装置１２は、図１０のように時間軸を縮小する場合は、固定時間帯を設け、図８、９のように時間軸を拡大する場合は、固定時間帯を設けないようにしてもよい。
【００６６】
麻酔記録管理装置１２は、表示する時間帯を移動させる操作を検出した場合も、固定時間帯を設けるようにしてもよい。つまり、麻酔記録管理装置１２は、表示する時間帯を移動させる操作を検出した場合、麻酔記録の開始時から所定期間と、移動指示に基づいた時間帯の麻酔記録を表示させてもよい。このように、表示する時間帯を移動させた場合も麻酔記録の開始時から所定期間を表示させることで、麻酔記録を確認しやくすることができる。
【００６７】
また、上記実施形態では、時間の縮尺を調整する場合、麻酔記録の記録を開始してから所定期間の時間の縮尺のみを固定したが、本発明はこれに限定されない。麻酔記録の記録を開始してから所定期間以外の時間帯も所定の条件を満たす場合、時間の縮尺を固定するようにしてもよい。
【００６８】
以下、図１３を用いて、時間の縮尺を調整する場合の他の例について説明する。図１３は、麻酔記録管理装置による処理の一例を示すフロー図である。なお、図１３に示す処理は、図６のステップＳ５８からステップＳ６２の処理に変えて実行することができる。
【００６９】
麻酔記録管理装置１２は、麻酔開始時点から所定期間の表示（つまり縮尺）を固定する（ステップＳ７０）。次に、麻酔記録管理装置１２は、麻酔情報を抽出し（ステップＳ７２）、麻酔投与される時間を基点として、設定された時間帯、つまり、麻酔が投与される前後の設定した時間帯の縮尺の表示を固定する（ステップＳ７４）。麻酔記録管理装置１２は、固定していない時間帯の縮尺を指示に基づいて調整し（ステップＳ７６）、調整して作成した画像を表示させる（ステップＳ７８）。
【００７０】
麻酔記録管理装置１２は、図１３に示す処理を行うことで、麻酔の導入時に加え、追加投与等で麻酔が投与された時間帯での麻酔記録をわかりやすい状態で表示させることができる。これにより、麻酔記録をよりわかりやすく表示させることができる。
【００７１】
以下、図１４を用いて、時間の縮尺を調整する場合の他の例について説明する。図１４は、麻酔記録管理装置による処理の一例を示すフロー図である。なお、図１４に示す処理も、図６のステップＳ５８からステップＳ６２の処理に変えて実行することができる。
【００７２】
麻酔記録管理装置１２は、麻酔開始時点から所定期間の表示（つまり縮尺）を固定する（ステップＳ８０）。次に、麻酔記録管理装置１２は、生体情報を抽出し（ステップＳ８２）、生体情報の変動が設定した値以上（例えば、血圧の増減や脈拍の変動が閾値以上）の時間帯の縮尺の表示を固定する（ステップＳ８４）。麻酔記録管理装置１２は、固定していない時間帯の縮尺を指示に基づいて調整し（ステップＳ８６）、調整して作成した画像を表示させる（ステップＳ８８）。
【００７３】
麻酔記録管理装置１２は、図１４に示す処理を行うことで、麻酔の導入時に加え、生体の変化が大きい時間帯、つまり、麻酔の管理においても注意が必要な時間帯での麻酔記録をわかりやすい状態で表示させることができる。これにより、麻酔記録をよりわかりやすく表示させることができる。
【００７４】
また、麻酔記録管理装置１２は、図１３の処理と図１４の処理、つまり、麻酔記録に基づいた固定時間帯の設定と、生体情報に基づいた固定時間帯の設定の両方を行ってもよい。
【００７５】
また、上記実施形態では、麻酔記録管理装置１２は、医療システム１０の他の機器に影響を与える可能性を少なくすることができ、他の機器を円滑に利用できるため、他の機器と電気的に絶縁した状態で、情報を取得する構成としたが、本発明はこれに限定されない。上記効果を得ることはできないが、電気的に繋がった状態で接続され、例えば電気信号の送受信で情報の授受を行うようにしてもよい。
【００７６】
また、麻酔記録管理装置１２は、サーバ２０と通信で繋がっている必要はなく、記録媒体を用いて、サーバとの間で情報の授受を行ってもよい。
【符号の説明】
【００７７】
１０  医療システム
１２  麻酔記録管理装置
１４  生体モニタ
１６  麻酔注入装置
１８  読取装置
３０  制御部
３２  記憶部
３４  入力部
３６  表示部
３８  通信部
４０  生体情報取得部
４２  麻酔情報取得部
５０  タッチパネル
５２  患者情報欄
５４  モード表示欄
５６  麻酔記録欄
５８  現状表示欄
６０  接続表示欄
６２  操作ボタンユニット
６４、６４ａ、６４ｂ、６４ｃ、６４ｄ  生体情報履歴欄
６６  麻酔情報履歴欄
７０  入力ウインドウ
７２  麻酔薬欄
７４  時刻入力欄
７５  麻酔薬入力欄
７６  数値入力欄
７８  登録ボタン
７９  キャンセルボタン
１０２  固定時間帯
１０４  調整時間帯
１０６  境界線
１２０、１２０ａ  時間軸
１２４、１２４ａ  麻酔詳細情報ウインドウ
【図１】
2016024793.tif 000003
【図２】
2016024793.tif 000004
【図３】
2016024793.tif 000005
【図４】
2016024793.tif 000006
【図５】
2016024793.tif 000007
【図６】
2016024793.tif 000008
【図７】
2016024793.tif 000009
【図８】
2016024793.tif 000010
【図９】
2016024793.tif 000011
【図１０】
2016024793.tif 000012
【図１１】
2016024793.tif 000013
【図１２】
2016024793.tif 000014
【図１３】
2016024793.tif 000015
【図１４】
2016024793.tif 000016